(57)【要約】【課題】冷媒経路を簡略化して配管の省スペース化をはかれるようにした多室型空気調和機の室外機を提供する。【解決手段】オイルセパレータ７の冷媒吐出側で分岐され、電磁開閉弁９およびキャピラリチューブ１０を介して並列に配置された複数の圧縮機１ａ乃至１ｃの冷媒吸入側に接続された複数の圧縮機オイル戻しバイパス１１乃至１３と、電磁開閉弁９およびキャピラリチューブ１０を介してアキュームレータ６の冷媒吸入側に接続された低圧ー高圧バイパス１４とからなる冷媒回路を構成してなる多室型空気調和機の室外機において、前記オイルセパレータ７の冷媒吐出側の分岐部８を、前記電磁開閉弁９の直前に設けた。【選択図】　図１
2004044930.tif 000002
【特許請求の範囲】
【請求項１】
並列に配置された複数の圧縮機と、同複数の圧縮機の冷媒吐出側に設けられた四方弁と、室外熱交換器と、レシーバタンクと、前記複数の圧縮機の冷媒吸入側に設けられたアキュームレータと、前記複数の圧縮機と前記四方弁との間に設けられたオイルセパレータと、同オイルセパレータの冷媒吐出側で分岐され、電磁開閉弁およびキャピラリチューブを介して前記複数の圧縮機の冷媒吸入側に夫々接続された複数の圧縮機オイル戻しバイパスと、前記オイルセパレータの冷媒吐出側で分岐され、電磁開閉弁およびキャピラリチューブを介して前記アキュームレータの冷媒吸入側に接続された低圧ー高圧バイパスとからなる冷媒回路を構成してなる多室型空気調和機の室外機において、
前記オイルセパレータの冷媒吐出側の分岐部が、前記電磁開閉弁の直前に設けられてなることを特徴とする多室型空気調和機の室外機。
【請求項２】
前記分岐部が、分岐管からなることを特徴とする請求項１に記載の多室型空気調和機の室外機。
【請求項３】
前記分岐部が、ヘッダーからなることを特徴とする請求項１に記載の多室型空気調和機の室外機。
【発明の詳細な説明】
【０００１】
【発明の属する技術分野】
本発明は、多室型空気調和機の室外機に係わり、より詳細には、冷媒経路を簡略化して配管の省スペース化をはかれるようにした構造に関する。
【０００２】
【従来の技術】
従来の多室型空気調和機の室外機は、例えば図２（Ａ）および図２（Ｂ）で示すように、並列に配置された第一圧縮機１ａ乃至第三圧縮機１ｃと、同第一圧縮機１ａ乃至同第三圧縮機１ｃの冷媒吐出側に設けられた四方弁２と、四方弁３と、複数の室外熱交換器４ａおよび４ｂと、レシーバタンク５と、前記第一圧縮機１ａ乃至前記第三圧縮機１ｃの冷媒吸入側に設けられたアキュームレータ６と、前記第一圧縮機１ａ乃至前記第三圧縮機１ｃと前記四方弁２との間に設けられたオイルセパレータ７と、同オイルセパレータ７の冷媒吐出側の分岐部８で分岐され、電磁開閉弁９およびキャピラリチューブ１０を介して前記第一圧縮機１ａの冷媒吸入側に接続された第一圧縮機オイル戻しバイパス１１と、前記オイルセパレータ７の冷媒吐出側の分岐部８で分岐され、電磁開閉弁９およびキャピラリチューブ１０を介して前記第二圧縮機１ｂの冷媒吸入側に接続された第二圧縮機オイル戻しバイパス１２と、前記オイルセパレータ７の冷媒吐出側の分岐部８で分岐され、電磁開閉弁９およびキャピラリチューブ１０を介して前記第三圧縮機１ｃの冷媒吸入側に接続された第三圧縮機オイル戻しバイパス１３と、前記オイルセパレータ７の冷媒吐出側の分岐部８で分岐され、電磁開閉弁９およびキャピラリチューブ１０を介して前記アキュームレータ６の冷媒吸入側に接続された低圧ー高圧バイパス１４とからなる冷媒回路を構成していた。
【０００３】
しかしながら、前記分岐部８が前記オイルセパレータ７の近傍に設けられていることから、同分岐部８と前記電磁開閉弁９との間を接続する配管が長くなってしまうことから、他の配管との干渉を防ぐために広いスペースが必要になってしまうという問題点を有していた。
【０００４】
【発明が解決しようとする課題】
本発明は、上記問題点に鑑み、冷媒経路を簡略化して配管の省スペース化をはかれるようにした多室型空気調和機の室外機を提供することを目的とする。
【０００５】
【課題を解決するための手段】
本発明は、上記課題を解決するため、並列に配置された複数の圧縮機と、同複数の圧縮機の冷媒吐出側に設けられた四方弁と、室外熱交換器と、レシーバタンクと、前記複数の圧縮機の冷媒吸入側に設けられたアキュームレータと、前記複数の圧縮機と前記四方弁との間に設けられたオイルセパレータと、同オイルセパレータの冷媒吐出側で分岐され、電磁開閉弁およびキャピラリチューブを介して前記複数の圧縮機の冷媒吸入側に夫々接続された複数の圧縮機オイル戻しバイパスと、前記オイルセパレータの冷媒吐出側で分岐され、電磁開閉弁およびキャピラリチューブを介して前記アキュームレータの冷媒吸入側に接続された低圧ー高圧バイパスとからなる冷媒回路を構成してなる多室型空気調和機の室外機において、
前記オイルセパレータの冷媒吐出側の分岐部が、前記電磁開閉弁の直前に設けられた構成となっている。
【０００６】
また、前記分岐部が、分岐管からなる構成となっている。
【０００７】
更に、前記分岐部が、ヘッダーからなる構成となっている。
【０００８】
【発明の実施の形態】
以下、本発明の実施の形態を図面に基づいた実施例として詳細に説明する。
図１は本発明による多室型空気調和機の室外機の説明図で、（Ａ）は冷媒回路を示す図であり、（Ｂ）は冷媒回路の一例を示す要部拡大図であり、（Ｃ）は冷媒回路の他の例を示す要部拡大図である。
【０００９】
本発明による多室型空気調和機の室外機は、図１（Ａ）で示すように、並列に配置された第一圧縮機１ａ、第二圧縮機１ｂおよび第三圧縮機１ｃと、これら第一圧縮機１ａ乃至第三圧縮機１ｃの冷媒吐出側に設けられた四方弁２と、四方弁３と、複数の室外熱交換器４ａおよび４ｂと、レシーバタンク５と、前記第一圧縮機１ａ乃至前記第三圧縮機１ｃの冷媒吸入側に設けられたアキュームレータ６とで冷媒回路が構成されている。
【００１０】
前記第一圧縮機１ａ乃至前記第三圧縮機１ｃと、前記四方弁２との間にはオイルセパレータ７が設けられ、同オイルセパレータ７の冷媒吐出側は後述する分岐部８で分岐され、電磁開閉弁９およびキャピラリチューブ１０を介して前記第一圧縮機１ａの冷媒吸入側に第一圧縮機オイル戻しバイパス１１が接続されている。
【００１１】
また、前記オイルセパレータ７の冷媒吐出側は後述する分岐部８で分岐され、電磁開閉弁９およびキャピラリチューブ１０を介して前記第二圧縮機１ｂの冷媒吸入側に第二圧縮機オイル戻しバイパス１２が接続されている。
【００１２】
また、前記オイルセパレータ７の冷媒吐出側は後述する分岐部８で分岐され、電磁開閉弁９およびキャピラリチューブ１０を介して前記第三圧縮機１ｃの冷媒吸入側に第三圧縮機オイル戻しバイパス１３が接続されている。
【００１３】
また同様に、前記オイルセパレータ７の冷媒吐出側は後述する分岐部８で分岐され、電磁開閉弁９およびキャピラリチューブ１０を介して前記アキュームレータ６の冷媒吸入側に低圧ー高圧バイパス１４が接続されている。
【００１４】
そして、前記オイルセパレータ７の冷媒吐出側で、前記第一圧縮機オイル戻しバイパス１１、前記第二圧縮機オイル戻しバイパス１２、前記第三圧縮機オイル戻しバイパス１３および前記低圧ー高圧バイパス１４に夫々分岐するための前記分岐部８は、前記電磁開閉弁９の直前に設けられた構成となっている。
【００１５】
これにより、前記分岐部８から前記電磁開閉弁９までの配管を効果的に短縮できるので、上記に説明した従来技術のように、他の配管との干渉を防ぐために広いスペースが必要になってしまうということがなくなり、冷媒回路を簡略化させることができるようになってコスト的に有利な構造となる。
【００１６】
なお、前記分岐部８は、一例として図１（Ｂ）で示すように、前記電磁開閉弁９の直前に設けた分岐管１５からなる構成となっており、または、他の例として図１（Ｃ）で示すように、前記電磁開閉弁９の直前に設けたヘッダー１６からなる構成となっており、これらにより、前記オイルセパレータ７から前記分岐管１５または前記ヘッダー１６までの配管が長くなり、上記した夫々のバイパス１１乃至１４が占めるスペースが小さくなって、多室型空気調和機の室外機としての冷媒回路を簡略化できることになる。
【００１７】
なお、一例として図１（Ｂ）で示した前記分岐管１５と、他の例として図１（Ｃ）で示した前記ヘッダー１６とは、設計上の観点から何れかを選択的に採用すればよい。
【００１８】
【発明の効果】
以上説明したように、本発明によると、冷媒経路を簡略化して配管の省スペース化をはかれるようにした多室型空気調和機の室外機となる。
【図面の簡単な説明】
【図１】本発明による多室型空気調和機の室外機の説明図で、（Ａ）は冷媒回路を示す図であり、（Ｂ）は冷媒回路の一例を示す要部拡大図であり、（Ｃ）は冷媒回路の他の例を示す要部拡大図である。
【図２】従来例による多室型空気調和機の室外機の説明図で、（Ａ）は冷媒回路を示す図であり、（Ｂ）は冷媒回路の要部拡大図である。
【符号の説明】
１ａ　第一圧縮機
１ｂ　第二圧縮機
１ｃ　第三圧縮機
２　四方弁
３　四方弁
４ａ，４ｂ　室外熱交換器
５　レシーバタンク
６　アキュムレータ
７　オイルセパレータ
８　分岐部
９　電磁開閉弁
１０　キャピラリチューブ
１１　第一圧縮機オイル戻しバイパス
１２　第二圧縮機オイル戻しバイパス
１３　　第三圧縮機オイル戻しバイパス
１４　低圧ー高圧バイパス
１５　分岐管
１６　ヘッダー
【図１】
2004044930.tif 000003
【図２】
2004044930.tif 000004
【手続補正書】
【提出日】平成14年7月18日(2002.7.18)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、多室型空気調和機の室外機に係わり、より詳細には、冷媒経路を簡略化して配管の省スペース化をはかれるようにした構造に関する。
【０００２】
【従来の技術】
従来の多室型空気調和機の室外機は、例えば図２（Ａ）および図２（Ｂ）で示すように、並列に配置された第一圧縮機１ａ乃至第三圧縮機１ｃと、同第一圧縮機１ａ乃至同第三圧縮機１ｃの冷媒吐出側に設けられた四方弁２と、四方弁３と、複数の室外熱交換器４ａおよび４ｂと、レシーバタンク５と、前記第一圧縮機１ａ乃至前記第三圧縮機１ｃの冷媒吸入側に設けられたアキュームレータ６と、前記第一圧縮機１ａ乃至前記第三圧縮機１ｃと前記四方弁２との間に設けられたオイルセパレータ７と、同オイルセパレータ７の冷媒吐出側の分岐部８で分岐され、電磁開閉弁９およびキャピラリチューブ１０を介して前記第一圧縮機１ａの冷媒吸入側に接続された第一圧縮機オイル戻しバイパス１１と、前記オイルセパレータ７の冷媒吐出側の分岐部８で分岐され、電磁開閉弁９およびキャピラリチューブ１０を介して前記第二圧縮機１ｂの冷媒吸入側に接続された第二圧縮機オイル戻しバイパス１２と、前記オイルセパレータ７の冷媒吐出側の分岐部８で分岐され、電磁開閉弁９およびキャピラリチューブ１０を介して前記第三圧縮機１ｃの冷媒吸入側に接続された第三圧縮機オイル戻しバイパス１３と、前記オイルセパレータ７の冷媒吐出側の分岐部８で分岐され、電磁開閉弁９およびキャピラリチューブ１０を介して前記アキュームレータ６の冷媒吸入側に接続された低圧ー高圧バイパス１４とからなる冷媒回路を構成していた。
【０００３】
しかしながら、前記分岐部８が前記オイルセパレータ７の近傍に設けられていることから、同分岐部８と前記電磁開閉弁９との間を接続する配管が長くなってしまうことから、他の配管との干渉を防ぐために広いスペースが必要になってしまうという問題点を有していた。
【０００４】
【発明が解決しようとする課題】
本発明は、上記問題点に鑑み、冷媒経路を簡略化して配管の省スペース化をはかれるようにした多室型空気調和機の室外機を提供することを目的とする。
【０００５】
【課題を解決するための手段】
本発明は、上記課題を解決するため、並列に配置された複数の圧縮機と、同複数の圧縮機の冷媒吐出側に設けられた四方弁と、室外熱交換器と、レシーバタンクと、前記複数の圧縮機の冷媒吸入側に設けられたアキュームレータと、前記複数の圧縮機と前記四方弁との間に設けられたオイルセパレータと、同オイルセパレータの冷媒吐出側で分岐され、電磁開閉弁およびキャピラリチューブを介して前記複数の圧縮機の冷媒吸入側に夫々接続された複数の圧縮機オイル戻しバイパスと、前記オイルセパレータの冷媒吐出側で分岐され、電磁開閉弁およびキャピラリチューブを介して前記アキュームレータの冷媒吸入側に接続された低圧ー高圧バイパスとからなる冷媒回路を構成してなる多室型空気調和機の室外機において、
前記オイルセパレータの冷媒吐出側の分岐部が、前記電磁開閉弁の直前に設けられた構成となっている。
【０００６】
また、前記分岐部が、分岐管からなる構成となっている。
【０００７】
更に、前記分岐部が、ヘッダーからなる構成となっている。
【０００８】
【発明の実施の形態】
以下、本発明の実施の形態を図面に基づいた実施例として詳細に説明する。
図１は本発明による多室型空気調和機の室外機の説明図で、（Ａ）は冷媒回路を示す図であり、（Ｂ）は冷媒回路の一例を示す要部拡大図であり、（Ｃ）は冷媒回路の他の例を示す要部拡大図である。
【０００９】
本発明による多室型空気調和機の室外機は、図１（Ａ）で示すように、並列に配置された第一圧縮機１ａ、第二圧縮機１ｂおよび第三圧縮機１ｃと、これら第一圧縮機１ａ乃至第三圧縮機１ｃの冷媒吐出側に設けられた四方弁２と、四方弁３と、複数の室外熱交換器４ａおよび４ｂと、レシーバタンク５と、前記第一圧縮機１ａ乃至前記第三圧縮機１ｃの冷媒吸入側に設けられたアキュームレータ６とで冷媒回路が構成されている。
【００１０】
前記第一圧縮機１ａ乃至前記第三圧縮機１ｃと、前記四方弁２との間にはオイルセパレータ７が設けられ、同オイルセパレータ７の冷媒吐出側は後述する分岐部８で分岐され、電磁開閉弁９およびキャピラリチューブ１０を介して前記第一圧縮機１ａの冷媒吸入側に第一圧縮機オイル戻しバイパス１１が接続されている。
【００１１】
また、前記オイルセパレータ７の冷媒吐出側は後述する分岐部８で分岐され、電磁開閉弁９およびキャピラリチューブ１０を介して前記第二圧縮機１ｂの冷媒吸入側に第二圧縮機オイル戻しバイパス１２が接続されている。
【００１２】
また、前記オイルセパレータ７の冷媒吐出側は後述する分岐部８で分岐され、電磁開閉弁９およびキャピラリチューブ１０を介して前記第三圧縮機１ｃの冷媒吸入側に第三圧縮機オイル戻しバイパス１３が接続されている。
【００１３】
また同様に、前記オイルセパレータ７の冷媒吐出側は後述する分岐部８で分岐され、電磁開閉弁９およびキャピラリチューブ１０を介して前記アキュームレータ６の冷媒吸入側に低圧ー高圧バイパス１４が接続されている。
【００１４】
そして、前記オイルセパレータ７の冷媒吐出側で、前記第一圧縮機オイル戻しバイパス１１、前記第二圧縮機オイル戻しバイパス１２、前記第三圧縮機オイル戻しバイパス１３および前記低圧ー高圧バイパス１４に夫々分岐するための前記分岐部８は、前記電磁開閉弁９の直前に設けられた構成となっている。
【００１５】
これにより、前記分岐部８から前記電磁開閉弁９までの配管を効果的に短縮できるので、上記に説明した従来技術のように、他の配管との干渉を防ぐために広いスペースが必要になってしまうということがなくなり、冷媒回路を簡略化させることができるようになってコスト的に有利な構造となる。
【００１６】
なお、前記分岐部８は、一例として図１（Ｂ）で示すように、前記電磁開閉弁９の直前に設けた分岐管１５からなる構成となっており、または、他の例として図１（Ｃ）で示すように、前記電磁開閉弁９の直前に設けたヘッダー１６からなる構成となっており、これらにより、前記オイルセパレータ７から前記分岐管１５または前記ヘッダー１６までの配管が長くなり、上記した夫々のバイパス１１乃至１４が占めるスペースが小さくなって、多室型空気調和機の室外機としての冷媒回路を簡略化できることになる。
【００１７】
なお、一例として図１（Ｂ）で示した前記分岐管１５と、他の例として図１（Ｃ）で示した前記ヘッダー１６とは、設計上の観点から何れかを選択的に採用すればよい。
【００１８】
【発明の効果】
以上説明したように、本発明によると、冷媒経路を簡略化して配管の省スペース化をはかれるようにした多室型空気調和機の室外機となる。
【図面の簡単な説明】
【図１】本発明による多室型空気調和機の室外機の説明図で、（Ａ）は冷媒回路を示す図であり、（Ｂ）は冷媒回路の一例を示す要部拡大図であり、（Ｃ）は冷媒回路の他の例を示す要部拡大図である。
【図２】従来例による多室型空気調和機の室外機の説明図で、（Ａ）は冷媒回路を示す図であり、（Ｂ）は冷媒回路の要部拡大図である。
【符号の説明】
１ａ　第一圧縮機
１ｂ　第二圧縮機
１ｃ　第三圧縮機
２　四方弁
３　四方弁
４ａ，４ｂ　室外熱交換器
５　レシーバタンク
６　アキュムレータ
７　オイルセパレータ
８　分岐部
９　電磁開閉弁
１０　キャピラリチューブ
１１　第一圧縮機オイル戻しバイパス
１２　第二圧縮機オイル戻しバイパス
１３　　第三圧縮機オイル戻しバイパス
１４　低圧ー高圧バイパス
１５　分岐管
１６　ヘッダー